(57)【要約】      （修正有）【課題】ゴルフなどのスポーツ着用時及び、通常着用時のポロシャツやＴシャツ等の動きの激しい運動や、曲げ伸ばし等の身体の動きによる裾のずり上がりを防止する、またずり上がっても肌の露出を防止する為のスポーツ用ポロシャツを提供する。【解決手段】ポロシャツやＴシャツ等の裾１の裏側部分に、薄く通気性が良い、そしてかさばらないメッシュ素材２を、ズボンやスカートの中に収められるように縫い付けにより固定装着する。【選択図】図１
0003221537.tif 000002
【実用新案登録請求の範囲】
【請求項１】
ゴルフやテニス用等、競技中、裾をズボンの中に入れて着用するスポーツ用ポロシャツにおいて、シャツ裾裏部分に、通気性が良く伸縮性のあるメッシュ素材を縫着し、そのメッシュ素材をズボン内やスカート内に収納させることにより、ポロシャツ本体のズレ上がりの防止又は軽減を可能とする。
またポロシャツがズレ上がったりまくれ上がったりしても、不快感の軽減・素肌の露出防止を図り、清涼感も得ることができる機能を有する。
更に、ポロシャツに縫着したメッシュ素材でできた部分をズボンやスカート内に収めることができることから、ポロシャツ本体の裾の長さをズボンやスカートのベルト位置に合わせたポロシャツの作りを可能とするので、ファッション性を重視しながらも競技ルールやゴルフ場のドレスコードにも適合できる可能性が高い。
以上の特徴を備えたスポーツ用ポロシャツ。
【請求項２】
スポーツ用に限らず、裾のズレ上がりを防止し、ズレ上がったりしても不快感を軽減させ、また素肌の露出を防止する機能を特徴とし、ファッション性を生かしたデザインを可能にするポロシャツ、Tシャツ。
【考案の詳細な説明】
【技術分野】
【０００１】
本発明は、ゴルフ用ポロシャツ、通常時着用ポロシャツ、Tシャツ等に関し、更に詳細には、部分的に裾のずり上がりを防ぐ効通気性素材部を含む機能性ゴルフ用シャツ、Tシャツ等に関する。
【背景技術】
【０００２】
カッターシャツ、ワイシャツ、Ｔシャツ、ポロシャツ等の上衣は、ズボンやスカート等の下衣から時間の経過と共にズレ上がり、この問題を解消するために従来の技術として、「実開平０７−９９０２」、「実開平０４−１３６１８」、「実開平０３−１０３２２２」等によるシャツとズボンを繋ぐ専用止め具式構造や、「特開平１０−７２７０２」、「実開平４−７８２１４」、「実開昭５３ー０９９２１０」等によるベルト式構造、「実開昭６０−４５３３２」、「特開平０７−３３１５１７」によるシャツとズボンを繋ぐ引っ掛け式構造、「実開平０２−１２５９１０」によるシャツとズボンを繋ぐ係止め具付ベルト構造、「実登３０５７９８１」によるシャツとズボンを繋ぐ係止めボタン構造、「実開昭６２ー１９８２１９」によるシャツとズボンを繋ぐマジックテープ（登録商標）構造などがある。
【考案の概要】
【考案が解決しようとする課題】
【０００３】
本考案が解決しようとする課題は、普及を容易にするために特殊な器具を使わない容易な方法で、シャツなどの上衣がズボンやスカート等の下衣からズレ上がる煩わしさを軽減し、更にズレ上がったり上衣がまくり上がっても肌の露出を防止できる構造を提供することにある。
【課題を解決するための手段】
【０００４】
前記課題を解決するため、本考案のズレ上がり防止構造は、上衣の裾裏部分に効通気性と伸縮性のあるメッシュ素材を連結させる（上衣の素材を裾下から切り替えることでも可）ことでズレ上がりを防止し、多少ズレ上がった際の不快感を軽減することができる。また、上衣がズレ上がったり運動動作等によりまくれ上がったりしても素肌の露出を防止を防止することができる。
【考案の効果】
【０００５】
本考案は、以上の構成よりなるものであり、外からはこの考案を使用していることが見えず、ズレ上がり防止機能が発揮されるとともに、多少なりともズレ上がっても上衣と下衣間に生じるゴワゴワした不快感が軽減され、上衣がまくれ上がっても素肌の露出を防止できる極めて有益なる効果を奏するものである。
【図面の簡単な説明】
【０００６】
【図１】実施例の上衣裾部分の図である。
【考案を実施するための形態】
【０００７】
以下、図を参照してこの発明の実施の形態を説明する。図１は、実施形態のポロシャツ（上衣）を示したものであり、ポロシャツ（上衣）の裾下裏部分に、通気性及び伸縮性のあるメッシュ素材を縫着したものである（上衣の素材を変えて切り替えしても可）。
【０００８】
また、この実施形態では、ポロシャツを採り上げたが、ゴルフ用に限らず、他にテニス用等、一般に、裾１をズボンの中に入れて競技をし、競技中、体を大きく屈曲し、また、伸長を繰り返すことによって、裾１がズボンの中からはみ出てくる不具合を有する分野のものに適用できる。
【０００９】
さらに、この実施形態ではポロシャツを採り上げたが、ズレ上がったりしても素肌の露出を防止することが出来るので、Tシャツ等の衣類にも応用及び適用できる。
【符号の説明】
【００１０】
１  裾
２  メッシュ素材
【図１】
0003221537.tif 000003
【手続補正書】
【提出日】平成31年1月2日(2019.1.2)
【手続補正１】
【補正対象書類名】実用新案登録請求の範囲
【補正対象項目名】全文
【補正方法】変更
【補正の内容】
【実用新案登録請求の範囲】
【請求項１】
・ゴルフやテニス用等、競技中、裾をズボンの中に入れて着用するスポーツ用ポロシャツにおいて、シャツ裾裏部分に、通気性が良く伸縮性のあるメッシュ素材を縫着し、そのメッシュ素材をズボン内やスカート内に収納させることにより、ポロシャツ本体のズレ上がりの防止又は軽減を可能とする。
・ポロシャツがズレ上がったりまくれ上がったりしても、不快感の軽減・素肌の露出防止を図り、清涼感も得ることができる機能を有する。
・ポロシャツに縫着したメッシュ素材でできた部分をズボンやスカート内に収めることができることから、ポロシャツ本体の裾の長さをズボンやスカートのベルト位置に合わせたポロシャツの作りを可能とするので、ファッション性を重視しながらも競技ルールやゴルフ場のドレスコードにも適合できる可能性が高い。
・シャツ裾裏部分の裾から約７センチの位置に、メッシュ素材の１センチから２センチを重ね合わせて縫着する。
以上の特徴を備えたスポーツ用ポロシャツ。
【請求項２】
スポーツ用に限らず、裾のズレ上がりを防止し、ズレ上がったりしても不快感を軽減させ、また素肌の露出を防止する機能を特徴とし、ファッション性を生かしたデザインを可能にするポロシャツ又はＴシャツ。
【手続補正書】
【提出日】平成31年3月21日(2019.3.21)
【手続補正１】
【補正対象書類名】実用新案登録請求の範囲
【補正対象項目名】全文
【補正方法】変更
【補正の内容】
【実用新案登録請求の範囲】
【請求項１】
シャツ裾裏部分に、通気性が良く伸縮性のあるメッシュ素材を縫着したことを特徴とするスポーツ用ポロシャツ。
【手続補正２】
【補正対象書類名】明細書
【補正対象項目名】０００５
【補正方法】変更
【補正の内容】
【０００５】
本考案は、以上の構成よりなるものであり、外からはこの考案を使用していることが見えず、ズレ上がり防止機能が発揮されるとともに、多少なりともズレ上がっても上衣と下衣間に生じるゴワゴワした不快感が軽減され、上衣がまくれ上がっても素肌の露出を防止できる極めて有益なる効果を奏するものである。
・ゴルフやテニス用等、競技中、裾をズボンの中に入れて着用するスポーツ用ポロシャツにおいて、シャツ裾裏部分に、通気性が良く伸縮性のあるメッシュ素材を縫着し、そのメッシュ素材をズボン内やスカート内に収納させることにより、ポロシャツ本体のズレ上がりの防止又は軽減を可能とする。
・ポロシャツがズレ上がったりまくれ上がったりしても、不快感の軽減・素肌の露出防止を図り、清涼感も得ることができる機能を有する。
・ポロシャツに縫着したメッシュ素材でできた部分をズボン内やスカート内に収めることができることから、ポロシャツ本体の裾の長さをズボンやスカートのベルト位置に合わせたポロシャツの作りを可能とするので、ファッション性を重視しながらも競技ルールやゴルフ場のドレスコードにも適合できる可能性が高い。
スポーツ用に限らず、裾のズレ上がりを防止し、ズレ上がったりしても不快感を軽減させ、また素肌の露出を防止する機能を特徴とし、ファッション性を生かしたデザインを可能にする。